(57)【要約】【課題】使用すべき無線通信条件の決定を移動端末装置にて行う際に、かかる無線通信条件の決定処理の効率を向上する。【解決手段】移動端末装置Ｔ１は、複数の移動端末装置Ｔ１〜Ｔ７間における通信機能を提供する端末間通信手段１１と、移動端末装置Ｔ１と基地局Ｂ１、Ｂ２との間の無線通信に使用される無線通信条件に関する条件データを端末間通信手段１１を用いて他の移動端末装置Ｔ２〜Ｔ７から取得する条件取得手段１２と、条件取得手段１２により取得された条件データが示す無線通信条件を基地局Ｂ１、Ｂ２との無線通信に使用する無線通信条件として設定する条件設定手段１５とを備える。【選択図】図２
2010114572.tif 000002
【特許請求の範囲】
【請求項１】
移動端末装置であって、
複数の前記移動端末装置間における通信機能を提供する端末間通信手段と、
前記移動端末装置と基地局との間の無線通信に使用される無線通信条件に関する条件データを、前記端末間通信手段を用いて他の前記移動端末装置から取得する条件取得手段と、
前記条件取得手段により取得された前記条件データが示す無線通信条件を、基地局との無線通信に使用する無線通信条件として設定する条件設定手段と、
を備える移動端末装置。
【請求項２】
前記条件取得手段により取得された前記条件データにより示される無線通信条件間の優先度を定める優先度決定手段を、さらに備え、
前記条件設定手段は、前記優先度決定手段により定められた優先度の順で、各前記無線通信条件による基地局との通信が可能であるか否かを判定する条件試験手段を備え、基地局との通信が可能であると判定された無線通信条件を基地局との無線通信に使用する無線通信条件として設定する請求項１に記載の移動端末装置。
【請求項３】
前記無線通信条件は、無線アクセス技術及び周波数帯のいずれか一方又はこれらの組み合わせである請求項１又は２に記載の移動端末装置。
【請求項４】
前記条件取得手段により複数の無線通信条件を示す前記条件データが取得されたとき、前記優先度決定手段は、取得された前記条件データにおける各前記無線通信条件の度数に応じて、前記優先度を決定する、請求項２又は３に記載の移動端末装置。
【請求項５】
前記条件データに示される各無線通信条件にそれぞれ対応する所定の参照情報を、前記端末間通信手段を用いて、前記他の移動端末装置から取得する参照情報取得手段と、
各前記参照情報に基づいてこれら参照情報にそれぞれ対応する無線通信条件同士の間の前記優先度を決定する優先度決定手段と、
をさらに備える請求項１に記載の移動端末装置。
【請求項６】
前記所定の参照情報は、前記無線通信条件による通信サービスを提供する通信事業者を示す通信事業者情報、前記移動端末装置のベンダを示すベンダ情報及び前記移動端末装置の機種を示す機種情報のいずれか、又はこれらの組み合わせであることを特徴とする請求項５に記載の移動端末装置。
【請求項７】
請求項１〜６に記載の移動端末装置と前記基地局とを備える通信システム。
【請求項８】
移動端末装置と基地局との間の無線通信に使用される無線通信条件を前記移動端末装置において設定する無線通信条件設定方法であって、
複数の前記移動端末装置間における通信機能を提供する端末間通信手段によって、前記無線通信条件に関する条件データを他の移動端末装置から取得し、
前記条件取得手段により取得された前記条件データが示す無線通信条件を、前記基地局との無線通信に使用する無線通信条件として設定する、無線通信条件設定方法。
【発明の詳細な説明】
【技術分野】
【０００１】
本発明は、通信に使用する無線アクセス技術（Radio Access Technology）や周波数帯といった無線通信条件を切り替えることができる移動端末装置や、このような移動端末装置を備える通信システム、移動端末装置における無線通信条件の設定方法に関する。
【背景技術】
【０００２】
携帯電話機などの移動端末装置には、複数の無線アクセス技術や周波数帯を使用でき、これらの無線通信条件を自動的に切り替える機能を有するものがある。以下、本明細書及び添付する図面において、無線アクセス技術を「ＲＡＴ」と示すことがある。また本明細書及び添付する図面において、移動端末装置と基地局との間の無線通信において無線通信を行うために使用される条件である、ＲＡＴや、周波数帯や、その他の条件及びこれらの組み合わせを「無線通信条件」と示すことがある。
【０００３】
移動端末装置における無線通信条件の切り替えは、予め記憶した各種のＲＡＴ及び周波数帯の組み合わせの中から、定められた順序で組み合わせを順次選択し、選択された組み合わせにより基地局との通信の通信が可能か否かを判定し、基地局との通信ができた組み合わせを、使用するＲＡＴ及び周波数帯として設定する。
【０００４】
また、移動端末装置の電源をＯＦＦにする際には、現在設定されているＲＡＴ及び周波数帯を所定の記憶ユニットに記憶しておき、電源が再びＯＮにされたときに、はじめに、先に記憶したＲＡＴ及び周波数帯により基地局との通信の通信が可能か否かを判定することが行われている。
【０００５】
なお、移動機と無線基地局に、それぞれＴＤＭＡ，ＣＤＭＡ，ＦＤＭＡの通信部を設け、ＣＤＭＡ通信部は、送信信号を１次変調するチャネル符号器と、異なる拡散符号をそれぞれ発生する拡散符号発生器と、チップクロックの発生を制御して拡散符号の生成を制御するクロック発生器／制御器と、積演算された出力に異なる搬送周波数を設定する発振器と、各種構成を統括制御してＴＤＭＡ通信部から送られてくる任意のタイムスロットへのＣＤＭＡ信号又はＴＤＭＡ信号の割当てを制御する中央制御部と、を有し、同一フレーム内の各タイムスロットに異なるアクセス方式の信号を混在させて送信することが開示されている。
【０００６】
また、異種通信方式の複数の通信システムのサービルエリアが少なくとも一部重複してなるセル式移動通信システムに適用可能な無線装置において、無線信号送受信を行う無線部と、適用対象となる通信システムの送受信のための信号処理の各機能をソフトウェアモジュール化してなる複数のシステムモジュールを格納した記憶装置と、無線部を介して送受される信号を処理するものであって記憶装置から与えられることにより割り当てられた特定の無線通信システムに対応したシステムモジュールを一時保持して保持したシステムモジュールに対応する信号処理を実行するリソースと、記憶装置に格納したシステムモジュールのうち使用通信システムに対応するシステムモジュールをリソースへ割り当てるべく管理制御を行うと共に複数種の通信システムによる重複サービス内ではハンドオーバ条件の整う時点で現在使用中の通信システムのシステムモジュールに加えてハンドオーバ先の通信システム対応のシステムモジュールをリソースへ割り当てるべく制御するマネージャを持つコントローラ12が設けられることが開示されている。
【０００７】
複数の無線通信システムを介してデータ通信が可能な無線部と、複数の無線通信システムのうち一つのシステムを介してデータ通信を行っている際に、前記システムから該システムより最大スループットの低いシステムに切り替える場合は、送信側が送信する連続送信可能なデータ量を低下させる信号を送信する制御部と、を備える無線通信端末が開示されている。
【０００８】
電波伝搬環境の特性データを算出する特性データ算出手段と、リソース測定手段と、特性データとリソースの利用状況とに基づいて、サービス品質ＱｏＳを算出し望ましいＱｏＳが得られるソフトウェアプロセスもしくは論理結線の組み合わせを選択する最適プロセス選択手段と、ソフトウェアモジュール追加手段と、モジュール開放制御手段とを設けた無線機が開示されている。
【０００９】
【特許文献１】特開平８−１３０７６６号公報
【特許文献２】特開２００２−２９１０１１号公報
【特許文献３】特開２００６−１８０４１２号公報
【特許文献４】特開２００２−２５２５８０号公報
【発明の開示】
【発明が解決しようとする課題】
【００１０】
上述のような予め記憶した各種の無線通信条件を順次試していく方法では、記憶された各種の無線通信条件を全て試してみて初めて条件を発見できる場合が考えられる。すなわち、使用可能な無線通信条件の決定に非常に時間を要する恐れがある。
【００１１】
上記事情に鑑み、開示の移動端末装置、通信システム及び無線通信条件設定方法は、使用すべき無線通信条件の決定を移動端末装置にて行う際に、かかる無線通信条件の決定処理の効率を向上することを目的とする。
【課題を解決するための手段】
【００１２】
ある実施例の形態による移動端末装置は、複数の移動端末装置間における通信機能を提供する端末間通信手段と、移動端末装置と基地局との間の無線通信に使用される無線通信条件に関する条件データを端末間通信手段により他の移動端末装置から取得する条件取得手段と、条件取得手段により取得された条件データが示す無線通信条件を、基地局との無線通信に使用する無線通信条件として設定する条件設定手段と、を備える。
【発明の効果】
【００１３】
開示の移動端末装置は、他の移動端末装置から無線通信条件を取得して使用する条件として設定することにより、複数の無線通信条件を順次試していく従来の移動端末装置と比較してより効率よく無線通信条件を決定することができる。
【発明を実施するための最良の形態】
【００１４】
以下、添付する図面を参照して実施例を説明する。図１は、開示の通信システムの全体構成図である。通信システム１は、複数の移動端末装置Ｔ１〜Ｔ７、これら移動端末装置Ｔ１〜Ｔ７と無線通信を行う複数の基地局Ｂ１及びＢ２を備える。図示の例では、基地局Ｂ１はエリアＣ１をカバーし、基地局Ｂ２はエリアＣ２をカバーする。
【００１５】
移動端末装置Ｔ１〜Ｔ７は、基地局Ｂ１及びＢ２と無線通信を行う機能を有していれば、どのような種類の装置でもよく、例えば、携帯電話機や、携帯情報端末装置、いわゆるＰＤＡ：Personal Digital Assistantやパソコンであってよい。基地局Ｂ１及び基地局Ｂ２は、各移動端末装置Ｔ１〜Ｔ７と、それぞれの移動端末装置Ｔ１〜Ｔ７にて決定された無線通信条件にて無線通信を行う。
【００１６】
図２は、開示の移動端末装置Ｔ１の概略構成図である。他の移動端末装置Ｔ２〜Ｔ７も同様の構成を有している。移動端末装置Ｔ１は、無線通信部１０と、端末間通信部１１と、条件取得部１２と、記憶部１３と、優先度決定部１４と、条件設定部１５と、要求信号処理部１７を備える。
【００１７】
無線通信部１０は、移動端末装置Ｔ１と基地局Ｂ１やＢ２との間の無線通信機能を実現する。端末間通信部１１は、移動端末装置Ｔ１の近くに存在する他の移動端末装置Ｔ２〜Ｔ７と移動端末装置Ｔ１との間の通信機能を実現する。端末間通信部１１は、ワイヤレスＬＡＮやブルートゥース（登録商標）に使用される無線通信技術によって、端末間における無線通信機能を実現してよい。
【００１８】
移動端末装置Ｔ１の条件取得部１２は、端末間通信部１１により実現される通信回線を介して、他の移動端末装置Ｔ２〜Ｔ７に対して、ＲＡＴや周波数帯といった無線通信条件に関する情報である条件データの送信を要求する条件データ要求信号を送信する。また条件取得部１２は、条件データ要求信号に応答して他の移動端末装置Ｔ２〜Ｔ７が送信した条件データを端末間通信部１１により実現される通信回線を介して受信し取得する。
【００１９】
無線通信条件とは、移動端末装置Ｔ１による基地局Ｂ１やＢ２との無線通信に使用される条件である。本実施例では、無線通信条件の例としてＲＡＴ及び周波数帯のいずれか及びこれらの組み合わせを例示したが、無線通信条件として他にも、変調方式や、誤り訂正方式など他の条件であってもよい。
【００２０】
記憶部１３は、移動端末装置Ｔ１が動作するためのオペレーティングシステムや動作プログラム、これらの動作に必要なデータを記憶するＲＯＭ、ＲＡＭその他の記憶デバイスであってよい。記憶部１３に記憶された条件テーブル２１には、条件取得部１２が取得した条件データが示す無線通信条件や、条件取得部１２によって取得されたそれぞれの無線通信条件についての各条件毎の度数が記憶される。条件テーブル２１に記憶される情報の内容については後述する。
【００２１】
優先度決定部１４は、条件テーブル２１に記憶される無線通信条件間の優先度を定める。条件設定部１５は、優先度決定部１４により定められた優先度の順で、条件テーブル２１に記憶されている各無線通信条件によって基地局Ｂ１やＢ２との通信が可能であるか否かを判定する。条件設定部１５は、基地局Ｂ１やＢ２との通信が可能であると判定された無線通信条件が見つかったとき、この無線通信条件を無線通信部１０が基地局Ｂ１やＢ２と無線通信に使用する無線通信条件として設定する。条件設定部１５は、優先度決定部１４により定められた優先度の順で、条件テーブル２１に記憶されている各無線通信条件によって基地局Ｂ１やＢ２との通信が可能であるか否かを判定する条件試験部１６を備える。
【００２２】
要求信号処理部１７は、端末間通信部１１により実現される通信回線を介して、他の移動端末装置Ｔ２〜Ｔ７のいずれかから送信された条件データ要求信号を受信する。条件データ要求信号を受信したとき、要求信号処理部１７は無線通信条件を取得する。
【００２３】
要求信号処理部１７は、例えば無線通信部１０が使用する無線通信条件として現在設定されている無線通信条件を、無線通信部１０から取得してよい。無線通信部１０が使用する無線通信条件が、記憶部１３に設定値データ２２として記憶されている場合には、要求信号処理部１７は、記憶部１３に記憶された設定値データ２２から無線通信条件を読み出してもよい。
【００２４】
さらに要求信号処理部１７は、条件テーブル２１に記憶されている、条件取得部１２が取得した条件データが示す無線通信条件や、条件取得部１２によって取得されたそれぞれの無線通信条件の度数を、条件データとして読み出してもよい。要求信号処理部１７は、取得した条件データを、条件データ要求信号を送信した他の移動端末装置に対して送信する。
【００２５】
図３は、条件テーブル２１のデータ構造の第１例を示す図である。条件テーブル２１は、「使用ＲＡＴ」フィールド、「使用周波数帯」フィールド及び「度数」フィールドを備える。本例の条件テーブル２１のデータ構造は、条件設定部１５により設定される無線通信条件がＲＡＴと周波数帯との組み合わせを含む場合に対応する。「使用ＲＡＴ」フィールド及び「使用周波数帯」フィールドには、無線通信条件に含まれる一対のＲＡＴ及び周波数帯が格納される。
【００２６】
「度数」フィールドには、「使用ＲＡＴ」フィールド及び「使用周波数帯」フィールドの値によって特定された無線通信条件が、条件取得部１２によって取得された条件データに現れる度数が格納される。例えば、条件データ要求信号を受信した移動端末装置が、条件データとして、その移動端末装置にて使用する無線通信条件として現在設定されている条件を送信する場合には、「度数」フィールドには、他の移動端末装置から各無線通信条件を受信した回数の合計が格納される。
【００２７】
条件取得部１２は、他の移動端末装置から無線通信条件を受信したとき、受信した無線通信条件に関するレコードが条件テーブル２１になければ、条件テーブル２１に新しいレコードを作成して、その「使用ＲＡＴ」フィールド及び「使用周波数帯」フィールドに受信した無線通信条件を示すＲＡＴと周波数帯をそれぞれ格納する。そして「度数」フィールドの値を「１」に設定する。受信された無線通信条件に関するレコードが条件テーブル２１にすでに存在するときは、条件取得部１２はそのレコードの「度数」フィールドの値を１つ増加する。
【００２８】
図４は、条件テーブル２１の第１例を示す図である。図４の例では、条件テーブル２１は、ＲＡＴがＧＳＭであり使用周波数帯域がｆ１０［ＧＨｚ］である無線通信条件を他の移動端末装置から受信した回数が「３」であり、ＲＡＴがＷＣＤＭＡであり使用周波数帯域がｆ１４［ＧＨｚ］である無線通信条件を他の移動端末装置から受信した回数が「７」であることを示す。
【００２９】
また、例えば、条件データ要求信号を受信した移動端末装置が、条件データとして、その端末の条件テーブル２１に記憶されている各無線通信条件と度数とを送信する場合には、「度数」フィールドには、各種類の無線通信条件についてそれぞれ受信された度数の合計が格納される。
【００３０】
条件取得部１２は、他の移動端末装置から、それぞれの端末のテーブル２１に記憶されている各無線通信条件とそれぞれの度数とを条件データとして受信したとき、取得した無線通信条件に関するレコードが条件テーブル２１になければ、新たに条件テーブル２１のレコードを作成して、取得した無線通信条件を示すＲＡＴと周波数帯をそれぞれ「使用ＲＡＴ」フィールド及び「使用周波数帯」フィールドに格納する。そして新たに作成したレコードの「度数」フィールドに、これらの無線通信条件についてそれぞれ受信した度数の値を格納する。受信された無線通信条件に関するレコードが条件テーブル２１にすでに存在するときは、条件取得部１２はそのレコードの「度数」フィールドの値を、受信した度数の値の分だけ増加する。
【００３１】
図４の例では、条件テーブル２１は、ＲＡＴがＧＳＭであり使用周波数帯域がｆ１０［ＧＨｚ］である無線通信条件について他の移動端末装置から受信した度数の値の合計が「３」であり、ＲＡＴがＷＣＤＭＡであり使用周波数帯域がｆ１４［ＧＨｚ］である無線通信条件について他の移動端末装置から受信した度数の値の合計が「７」であることを示す。
【００３２】
図５は、開示の無線通信条件設定方法の第１例を示すフローチャートである。本フローチャートでは、移動端末装置Ｔ１の電源がＯＮにされたときに無線通信条件を設定する方法を示す。ステップＳ１において移動端末装置Ｔ１の電源がＯＮにされると、ステップＳ２において条件取得部１２は、端末間通信部１１により実現される通信回線を介して、条件データ要求信号を送信する。
【００３３】
図６は、条件データ要求信号を受信した他の移動端末装置Ｔ２の動作フローチャートの第１例である。条件データ要求信号を受信した他の移動端末装置Ｔ３〜Ｔ７も同様の処理を行う。ステップＳ２０において移動端末装置Ｔ２が移動端末装置Ｔ１から送信された条件データ要求信号を受信すると、ステップＳ２１にて要求信号処理部１７は、移動端末装置Ｔ１へ送信すべき条件データを取得する。要求信号処理部１７は、例えば移動端末装置Ｔ２の無線通信部１０から、無線通信部１０が使用する条件として現在設定されている無線通信条件を取得してよい。
【００３４】
また例えば無線通信部１０が使用する無線通信条件が、記憶部１３に設定値データ２２として記憶されている場合には、要求信号処理部１７は、記憶部１３に記憶された設定値データ２２から無線通信条件を読み出してもよい。さらに要求信号処理部１７は、移動端末装置Ｔ２の条件テーブル２１に記憶されている、無線通信条件やそれぞれの無線通信条件の度数を、条件データとして読み出してもよい。ステップＳ２２において移動端末装置Ｔ２の要求信号処理部１７は、取得した条件データを、条件データ要求信号を送信した移動端末装置Ｔ１に対して送信する。
【００３５】
図５に戻り、ステップＳ３において移動端末装置Ｔ１の条件取得部１２は、他の移動端末装置Ｔ２から送信された条件データを受信する。ステップＳ４において条件取得部１２は、受信した条件データを条件テーブル２１に格納する。条件データ要求信号を受信した他の移動端末Ｔ２〜Ｔ７が、条件データとして、その移動端末装置にて使用する無線通信条件として現在設定されている条件を送信する場合には、条件取得部１２は、以下の処理によって条件データを条件テーブル２１に格納する。
【００３６】
移動端末装置Ｔ１の条件取得部１２は、受信した無線通信条件に関するレコードが条件テーブル２１に存在するか否かを判定する。受信した無線通信条件に関するレコードが条件テーブル２１にないとき、移動端末装置Ｔ１の条件取得部１２は、条件テーブル２１に新しいレコードを作成して、その「使用ＲＡＴ」フィールド及び「使用周波数帯」フィールドに受信した無線通信条件を示すＲＡＴと周波数帯をそれぞれ格納する。そして「度数」フィールドの値を「１」に設定する。受信された無線通信条件に関するレコードが条件テーブル２１にすでに存在するときは、条件取得部１２はそのレコードの「度数」フィールドの値を１つ増加する。
【００３７】
条件データ要求信号を受信した他の移動端末装置Ｔ２〜Ｔ７が、条件データとして、それぞれの条件テーブル２１に記憶されている各無線通信条件と各無線通信条件の度数とを送信する場合には、条件取得部１２は、以下の処理によって条件データを条件テーブル２１に格納する。
【００３８】
移動端末装置Ｔ１の条件取得部１２は、他の移動端末装置Ｔ２〜Ｔ７から、それぞれの端末のテーブル２１に記憶されている各無線通信条件とそれぞれの度数とを条件データとして受信したとき、取得した無線通信条件に関するレコードが条件テーブル２１に存在するか否かを判定する。取得した無線通信条件に関するレコードが条件テーブル２１になければ、条件取得部１２は、新たに条件テーブル２１のレコードを作成して、取得した無線通信条件を示すＲＡＴと周波数帯をそれぞれ「使用ＲＡＴ」フィールド及び「使用周波数帯」フィールドに格納する。そして新たに作成したレコードの「度数」フィールドに、これらの無線通信条件についてそれぞれ受信した度数の値を格納する。受信された無線通信条件に関するレコードが条件テーブル２１にすでに存在するときは、条件取得部１２はそのレコードの「度数」フィールドの値を、受信した度数の値の分だけ増加する。
【００３９】
ステップＳ５において優先度決定部１４は、条件テーブル２１に記憶される無線通信条件間の優先度を定める。図７は、無線通信条件の優先度の第１例を示す図である。本例では、優先度決定部１４は、ＲＡＴ及び周波数帯の組み合わせである無線通信条件同士の優先度を、それぞれの無線通信条件の度数に応じて設定する。
【００４０】
図７に示す優先度は、値が小さいほど高い優先度を示す。図示するとおり、ＲＡＴがＷＣＤＭＡであり周波数帯がｆ４［ＧＨｚ］である無線通信条件の度数が最大値「２５」であり優先度は最高の値「１」となる。一方で、ＲＡＴがＧＳＭであり周波数帯がｆ３［ＧＨｚ］である無線通信条件の度数が最大値「０」であり優先度は最低の値「１８」となる。
【００４１】
ステップＳ６において、条件設定部１５の条件試験部１６は、優先度決定部１４によって決定された優先度が最も高い無線通信条件を、無線通信部１０が無線通信を行う際に使用する条件として設定する。ステップＳ７において、条件試験部１６は、設定された無線通信条件を使用して無線通信部１０により基地局と通信が可能であるか否かを判定する。
【００４２】
ステップＳ７の判定において、設定された無線通信条件では基地局と通信が可能であるときには処理を終了する。この結果、ステップＳ７の判定の際に設定されている無線通信条件が、以後移動端末装置Ｔ１が使用する無線通信条件としてそのまま設定される。条件試験部１６は、現在設定されている無線通信条件を設定値データ２２として記憶部１３に記憶してもよい。
【００４３】
ステップＳ７の判定において、設定された無線通信条件では基地局と通信が可能でない場合には処理がステップＳ８に進む。ステップＳ８において、条件試験部１６は、条件テーブル２１に記憶されている無線通信条件のうち、未だステップＳ７における基地局との通信可否の判定を行っていない条件があるか否かを判定する。
【００４４】
判定を行っていない無線通信条件が残っているときは、ステップＳ９において条件試験部１６は、直前のステップＳ７にて判定が行われた無線通信条件の優先度の次の優先度の無線通信条件を、無線通信部１０が無線通信を行う際に使用する条件として設定し、処理をステップＳ７に戻す。
【００４５】
ステップＳ８の判定において、判定を行っていない無線通信条件が残っていないときは、ステップＳ１０において条件試験部１６は、移動端末装置Ｔ１が使用可能な無線通信条件のそれぞれを、所定の順序で、無線通信部１０が無線通信を行う際に使用する条件として設定する。条件試験部１６は、順次設定された無線通信条件を使用して無線通信部１０により基地局と通信が可能であるか否かを判定し、通信ができた無線通信条件を、以後移動端末装置Ｔ１が使用する無線通信条件として設定する。
【００４６】
図８は、開示の無線通信条件設定方法の第２例を示すフローチャートである。本フローチャートでは、移動端末装置Ｔ１が周期的に無線通信条件を設定する方法を示す。ステップＳ３０〜Ｓ３２では、図５に示すステップＳ２〜Ｓ４と同様にして、他の移動端末装置Ｔ２〜Ｔ７から条件データが取得され、取得された条件データによってそれぞれ示される無線通信条件が条件テーブル２１に格納される。
【００４７】
ステップＳ３３において条件設定部１５は、使用するＲＡＴ又は周波数帯の設定を変更する時期か否かを判定する。例えば条件設定部１５は、所定の周期でＲＡＴ又は周波数帯の設定を変更するようにプログラムされていてよい。使用するＲＡＴ又は周波数帯の設定を変更する時期でない場合には、処理はステップＳ３０に戻る。移動端末装置Ｔ１は、ステップＳ３０〜ステップＳ３３の処理を所定の周期で繰り返し実行する。
【００４８】
ステップＳ３３の判定において、使用するＲＡＴ又は周波数帯の設定を変更する時期であると判定された場合には、処理はステップＳ３４に進む。ステップＳ３４において条件設定部１５は、ＲＡＴ及び周波数帯のいずれを設定するかを決定する。条件設定部１５は、例えば３回に２回はＲＡＴの設定を行い３回に１回は周波数帯の設定を行うというように、予め定められた頻度の割合によって、ＲＡＴ及び周波数帯のいずれを設定するかを決定してよい。条件設定部１５は、ユーザにより予め行われた設定に基づいてＲＡＴ及び周波数帯のいずれを設定するかを決定してもよい。
【００４９】
ステップＳ３４の判定においてＲＡＴを設定すると決定したときは、処理はステップＳ３５に進む。図９は、図８に示すＲＡＴ設定処理Ｓ３５を示すフローチャートである。ステップＳ４０において優先度決定部１４は、図４に示す条件テーブル２１における各ＲＡＴ毎の度数の合計値に応じて、各ＲＡＴ間の優先度を決定する。図１０は、各ＲＡＴであるＧＳＭ、ＷＣＤＭＡ及びＬＴＥのそれぞれの度数と優先度を示す。
【００５０】
図９のステップＳ４１において、条件設定部１５の条件試験部１６は、優先度決定部１４によって決定された優先度が最も高いＲＡＴを、無線通信部１０が無線通信を行う際に使用するＲＡＴとして設定する。その後、条件試験部１６は、記憶部１３に記憶されたＲＡＴ対周波数帯対応テーブル２３を読み込んで、無線通信部１０が使用するものとして現在設定されているＲＡＴにおいて、移動端末装置Ｔ１が使用可能な周波数帯ｆｉ（ｉ＝１〜ｎ）を取得する。
【００５１】
図１１は、ＲＡＴ対周波数帯対応テーブル２３の例を示す図である。図示するとおり、ＲＡＴ対周波数帯対応テーブル２３には、移動端末装置Ｔ１が使用可能なＲＡＴと、それぞれのＲＡＴを使用する際に使用可能な周波数帯とが予め登録されている。条件試験部１６は、取得した周波数帯ｆｉ（ｉ＝１〜ｎ）のそれぞれについてステップＳ４２〜Ｓ４５を含むループを繰り返す。
【００５２】
ステップＳ４３において条件試験部１６は、周波数帯ｆｉを、無線通信部１０が無線通信を行う際に使用する周波数帯として設定する。ステップＳ４４において条件試験部１６は、設定されたＲＡＴ及び周波数帯を使用して無線通信部１０により基地局と通信が可能であるか否かを判定する。
【００５３】
ステップＳ４４の判定において、設定されたＲＡＴ及び周波数帯では基地局と通信が可能であるときには処理を終了する。この結果、ステップＳ４４の判定の際に設定されているＲＡＴ及び周波数帯が、以後移動端末装置Ｔ１が使用する無線通信条件としてそのまま設定される。条件試験部１６は、現在設定されているＲＡＴ及び周波数帯を設定値データ２２として記憶部１３に記憶してもよい。ステップＳ４４の判定において、設定されたＲＡＴ及び周波数帯では基地局と通信が可能でない場合には処理がステップＳ４２に戻る。
【００５４】
無線通信部１０が使用するものとして現在設定されているＲＡＴにおいて使用可能な全ての周波数帯ｆｉ（ｉ＝１〜ｎ）について、ステップＳ４４の判定にて基地局と通信が可能でないと判定された場合には、処理は、ループＳ４２〜Ｓ４５を抜けてステップＳ４６に至る。ステップＳ４６において条件試験部１６は、条件テーブル２１に記憶されているＲＡＴのうち、未だステップＳ４４における基地局との通信可否の判定を行っていない条件があるか否かを判定する。
【００５５】
判定を行っていないＲＡＴが残っているときは、ステップＳ４７において条件試験部１６は、直前のステップＳ４４にて判定が行われたＲＡＴの優先度の次の優先度のＲＡＴを、無線通信部１０が無線通信を行う際に使用するＲＡＴとして設定し、処理をステップＳ４２に戻す。
【００５６】
ステップＳ４６の判定において、判定を行っていないＲＡＴが残っていないときは、ステップＳ４８において条件試験部１６は、図５に示すステップＳ１０と同様に無線通信条件を設定する。
【００５７】
図８のステップＳ３４の判定において周波数帯を設定すると決定したときは、処理はステップＳ３６に進む。図１２は、図８に示す周波数帯設定処理Ｓ３６を示すフローチャートである。ステップＳ５０において優先度決定部１４は、現在使用中のＲＡＴにおいて使用可能な周波数間の優先度を決定する。優先度決定部１４は、条件テーブル２１における各周波数帯毎の度数の合計値に応じて、各周波数間の優先度を決定する。図１３の（Ａ）〜図１３の（Ｃ）は、それぞれＧＳＭ、ＷＣＤＭＡ及びＬＴＥが使用されている場合に使用可能な周波数帯間の優先度を示す図である。
【００５８】
ステップＳ５１において条件試験部１６は、優先度決定部１４によって決定された優先度が最も高い周波数帯を、無線通信部１０が無線通信を行う際に使用する周波数帯として設定する。ステップＳ５２において条件試験部１６は、設定されたＲＡＴ及び周波数帯を使用して無線通信部１０により基地局と通信が可能であるか否かを判定する。
【００５９】
ステップＳ５２の判定において、設定されたＲＡＴ及び周波数帯では基地局と通信が可能であるときには処理を終了する。この結果、ステップＳ５２の判定の際に設定されているＲＡＴ及び周波数帯が、以後移動端末Ｔ１が使用する無線通信条件としてそのまま設定される。条件試験部１６は、現在設定されているＲＡＴ及び周波数帯を設定値データ２２として記憶部１３に記憶してもよい。
【００６０】
ステップＳ５２の判定において、設定されたＲＡＴ及び周波数帯では基地局と通信が可能でない場合には処理がステップＳ５３に進む。ステップＳ５３において条件試験部１６は、現在使用中のＲＡＴにおいて使用可能であり、かつ条件テーブル２１に記憶されている周波数帯のうち、未だステップＳ５２における基地局との通信可否の判定を行っていない条件があるか否かを判定する。
【００６１】
判定を行っていない周波数帯が残っているときは、ステップＳ５４において条件試験部１６は、直前のステップＳ５２にて判定が行われた周波数帯の優先度の次の優先度の周波数帯を、無線通信部１０が無線通信を行う際に使用する周波数帯として設定し、処理をステップＳ５２に戻す。
【００６２】
ステップＳ５３の判定において、判定を行っていない周波数帯が残っていないときは、ステップＳ５５において条件試験部１６は、図５に示すステップＳ１０と同様に無線通信条件を設定する。
【００６３】
本実施例による移動端末装置Ｔ１は、他の移動端末装置から無線通信条件を取得し、取得した無線通信条件から先に、基地局との無線通信に使用可能であるか否かを判定することにより、より使用可能な可能性が高い無線通信条件から判定することが可能であり、従来行っていた決定方法と比べて非常に速く無線通信条件を設定することができる。すなわち、従来の方法によれば、所定の順序に従って順番に各無線通信条件の使用可否を決定していたため、最悪の場合数十秒を要していたところ、本方法によれば数１００ミリ秒程度で設定を完了することが見込まれる。
【００６４】
また、無線通信条件の度数に基づく優先度に従って判定順序を決定することにより、より早く設定を完了することが可能となる。
【００６５】
図４に示す条件テーブルの「度数」フィールドに格納される値に基づく優先度決定部１４による無線通信条件間の優先度の決定方法は、上述の方法に限られず、様々な方法が採用可能であることは明らかである。例えば、優先度決定部１４は、以下のように、ＲＡＴ毎の度数の合計値を優先して、ＲＡＴと周波数帯との組み合わせである無線通信条件間の優先度を決定してよい。
【００６６】
図１４は、図４の条件テーブルにおける度数のそれぞれＲＡＴ別の集計結果を示す図である。図示するとおり各ＲＡＴであるＷＣＤＭＡ、ＬＴＥ及びＧＳＭのそれぞれについて、度数の合計値は「７０」、「２４」及び「２１」であり、ＷＣＤＭＡ、ＬＴＥ及びＧＳＭの順で度数が大きい。
【００６７】
図１５は、各ＲＡＴの度数を優先して図４のテーブルの優先度を決定した結果を示す図である。優先度決定部１４は、度数が最も大きいＷＣＤＭＡを使用する無線通信条件の優先度を、他のＲＡＴを使用する無線通信条件よりも高くする。また優先度決定部１４は、２番目に度数が大きいＬＴＥを使用する無線通信条件の優先度を、ＷＣＤＭＡを使用する無線通信条件の次に高くする。優先度決定部１４は、度数が最も小さいＧＳＭを使用する無線通信条件の優先度を、他のＲＡＴを使用する無線通信条件よりも低くする。
【００６８】
優先度決定部１４は、同じＲＡＴを使用し異なる周波数帯を使用する各無線通信条件間における優先度を、図４の条件テーブルに格納されている度数の大小によって決定する。
【００６９】
図１６は、条件テーブル２１の第２例を示す図である。条件テーブル２１は、「使用ＲＡＴ」フィールド及び「度数」フィールドを備える。本例の条件テーブル２１のデータ構造は、条件設定部１５により設定される無線通信条件がＲＡＴを含む場合に対応する。「使用ＲＡＴ」フィールドには、無線通信条件に含まれるＲＡＴが格納される。「度数」フィールドには、「使用ＲＡＴ」フィールドの値によって特定された各ＲＡＴが、条件取得部１２によって取得された条件データに現れる度数が格納される。
【００７０】
図１７は、開示の無線通信条件設定方法の第３例を示すフローチャートである。本フローチャートでは、移動端末装置Ｔ１の電源がＯＮにされたときに図１６に示す条件テーブル２１を作成して無線通信条件を設定する方法を示す。ステップＳ６０において移動端末装置Ｔ１の電源がＯＮにされると、ステップＳ６１において条件取得部１２は、端末間通信部１１により実現される通信回線を介して、条件データ要求信号を送信する。
【００７１】
ステップＳ６２において移動端末装置Ｔ１の条件取得部１２は、他の移動端末装置Ｔ２〜Ｔ７から送信された条件データを受信する。ステップＳ６３において条件取得部１２は、受信した条件データを条件テーブル２１に格納する。図５に示すステップＳ３及びＳ４にて取得及び格納される条件データが示す無線通信条件が「ＲＡＴ」及び「周波数帯」を含むものであるのに対して、ステップＳ６２及びＳ６３にて取得及び格納される条件データが示す無線通信条件が「ＲＡＴ」を含むものであることを除き、ステップＳ６２及びＳ６３において条件データを取得及び格納する処理は、図５に示すステップＳ３及びＳ４の処理と同様であってよい。但し、Ｓ６２及びＳ６３にて取得及び格納される条件データにおいても、無線通信条件が「ＲＡＴ」及び「周波数帯」を含んでいてよい。
【００７２】
ステップＳ６４において優先度決定部１４は、条件テーブル２１に記憶されるＲＡＴ間の優先度を定める。優先度決定部１４は、ＲＡＴの優先度をそれぞれのＲＡＴの度数に応じて設定する。ステップＳ６５において、条件試験部１６は、優先度決定部１４によって決定された優先度が最も高いＲＡＴを、無線通信部１０が無線通信を行う際に使用するＲＡＴとして設定する。その後、条件試験部１６は、ＲＡＴ対周波数帯対応テーブル２３を読み込んで、無線通信部１０が使用するものとして現在設定されているＲＡＴにおいて、移動端末装置Ｔ１が使用可能な周波数帯ｆｉ（ｉ＝１〜ｎ）を取得する。条件試験部１６は、取得した周波数帯ｆｉ（ｉ＝１〜ｎ）のそれぞれについてステップＳ６６〜Ｓ６９を含むループを繰り返す。
【００７３】
ステップＳ６７において条件試験部１６は、周波数帯ｆｉを、無線通信部１０が無線通信を行う際に使用する周波数帯として設定する。ステップＳ６８において条件試験部１６は、設定されたＲＡＴ及び周波数帯を使用して無線通信部１０により基地局と通信が可能であるか否かを判定する。
【００７４】
ステップＳ６８の判定において、設定されたＲＡＴ及び周波数帯では基地局と通信が可能であるときには処理を終了する。この結果、ステップＳ６８の判定の際に設定されているＲＡＴ及び周波数帯が、以後移動端末装置Ｔ１が使用する無線通信条件としてそのまま設定される。条件試験部１６は、現在設定されているＲＡＴ及び周波数帯を設定値データ２２として記憶部１３に記憶してもよい。ステップＳ６８の判定において、設定されたＲＡＴ及び周波数帯では基地局と通信が可能でない場合には処理がステップＳ６６に戻る。
【００７５】
無線通信部１０が使用するものとして現在設定されているＲＡＴにおいて使用可能な全ての周波数帯ｆｉ（ｉ＝１〜ｎ）について、ステップＳ６８の判定にて基地局と通信が可能でないと判定された場合には、処理は、ループＳ６６〜Ｓ６９を抜けてステップＳ７１に至る。ステップＳ７１において条件試験部１６は、条件テーブル２１に記憶されているＲＡＴのうち、未だステップＳ６８における基地局との通信可否の判定を行っていない条件があるか否かを判定する。
【００７６】
判定を行っていないＲＡＴが残っているときは、ステップＳ７０において条件試験部１６は、直前のステップＳ６８にて判定が行われたＲＡＴの優先度の次の優先度のＲＡＴを、無線通信部１０が無線通信を行う際に使用するＲＡＴとして設定し、処理をステップＳ６６に戻す。ステップＳ６６の判定において、判定を行っていないＲＡＴが残っていないときは、ステップＳ７２において条件試験部１６は、図５に示すステップＳ１０と同様に無線通信条件を設定する。
【００７７】
図１８は、開示の無線通信条件設定方法の第４例を示すフローチャートである。本フローチャートでは、移動端末装置Ｔ１が周期的に図１６に示す条件テーブル２１を作成して無線通信条件を設定する方法を示す。ステップＳ８０〜Ｓ８２では、図１７に示すステップＳ６１〜Ｓ６３と同様にして、他の移動端末装置Ｔ２〜Ｔ７から条件データが取得され、取得された条件データによってそれぞれ示される無線通信条件が条件テーブル２１に格納される。
【００７８】
ステップＳ８３において条件設定部１５は、使用するＲＡＴの設定を変更する時期か否かを判定する。使用するＲＡＴの設定を変更する時期でない場合には、処理はステップＳ８０に戻る。移動端末装置Ｔ１は、ステップＳ８０〜ステップＳ８３の処理を所定の周期で繰り返し実行する。ステップＳ８３の判定において、使用するＲＡＴの設定を変更する時期であると判定された場合には、処理はステップＳ８４に進む。ステップＳ８４では、図９に示すＲＡＴ設定処理Ｓ３５と同様の処理によって、ＲＡＴ及び周波数が設定される。
【００７９】
図１９は、条件テーブル２１の第３例を示す図である。条件テーブル２１は、「使用周波数帯」フィールド及び「度数」フィールドを備える。本例の条件テーブル２１のデータ構造は、条件設定部１５により設定される無線通信条件が周波数帯を含む場合に対応する。「使用周波数帯」フィールドには、無線通信条件に含まれる周波数帯が格納される。「度数」フィールドには、「使用周波数帯」フィールドの値によって特定された各使用周波数帯が、条件取得部１２によって取得された条件データに現れる度数が格納される。
【００８０】
図２０は、開示の無線通信条件設定方法の第５例を示すフローチャートである。本フローチャートでは、移動端末装置Ｔ１の電源がＯＮにされたときに図１９に示す条件テーブル２１を作成して無線通信条件を設定する方法を示す。ステップＳ９０において移動端末装置Ｔ１の電源がＯＮにされると、ステップＳ９１において条件取得部１２は、端末間通信部１１により実現される通信回線を介して、条件データ要求信号を送信する。
【００８１】
ステップＳ９２において移動端末装置Ｔ１の条件取得部１２は、他の移動端末装置Ｔ２〜Ｔ７から送信された条件データを受信する。ステップＳ９３において条件取得部１２は、受信した条件データを条件テーブル２１に格納する。図５に示すステップＳ３及びＳ４にて取得及び格納される条件データが示す無線通信条件が「ＲＡＴ」及び「周波数帯」を含むものであるのに対して、ステップＳ９２及びＳ９３にて取得及び格納される条件データが示す無線通信条件が「周波数帯」を含むものであることを除き、ステップＳ９２及びＳ９３において条件データを取得及び格納する処理は、図５に示すステップＳ３及びＳ４の処理と同様であってよい。但し、Ｓ９２及びＳ９３にて取得及び格納される条件データにおいても、無線通信条件が「ＲＡＴ」及び「周波数帯」を含んでいてよい。
【００８２】
ステップＳ９４において優先度決定部１４は、図１９に示す条件テーブル２１に格納されている周波数間の優先度を決定する。優先度決定部１４は、条件テーブル２１における各周波数帯の度数の合計値に応じて優先度を決定する。図２１は、周波数帯の優先度を示す図である。
【００８３】
ステップＳ９５において条件試験部１６は、優先度決定部１４によって決定された優先度が最も高い周波数帯を、無線通信部１０が無線通信を行う際に使用する周波数帯として設定する。また条件試験部１６は、この周波数帯を使用するＲＡＴを、ＲＡＴ対周波数帯対応テーブル２３に基づき決定して、決定されたＲＡＴを無線通信部１０が無線通信を行う際に使用するＲＡＴとして設定する。
【００８４】
ステップＳ９６において条件試験部１６は、設定されたＲＡＴ及び周波数帯を使用して無線通信部１０により基地局と通信が可能であるか否かを判定する。
【００８５】
ステップＳ９６の判定において、設定されたＲＡＴ及び周波数帯では基地局と通信が可能であるときには処理を終了する。この結果、ステップＳ９６の判定の際に設定されているＲＡＴ及び周波数帯が、以後移動端末装置Ｔ１が使用する無線通信条件としてそのまま設定される。条件試験部１６は、現在設定されているＲＡＴ及び周波数帯を設定値データ２２として記憶部１３に記憶してもよい。
【００８６】
ステップＳ９６の判定において、設定されたＲＡＴ及び周波数帯では基地局と通信が可能でない場合には処理がステップＳ９７に進む。ステップＳ９７において条件試験部１６は、条件テーブル２１に記憶されている周波数帯のうち、未だステップＳ９６における基地局との通信可否の判定を行っていない条件があるか否かを判定する。
【００８７】
判定を行っていない周波数帯が残っているときは、ステップＳ９８において条件試験部１６は、直前のステップＳ９６にて判定が行われた周波数帯の優先度の次の優先度の周波数帯とこの周波数帯を使用するＲＡＴを、無線通信部１０が無線通信を行う際に使用する無線通信条件として設定し、処理をステップＳ９６に戻す。
ステップＳ９７の判定において、判定を行っていない周波数帯が残っていないときは、ステップＳ９９において条件試験部１６は、図５に示すステップＳ１０と同様に無線通信条件を設定する。
【００８８】
図２２は、開示の無線通信条件設定方法の第６例を示すフローチャートである。本フローチャートでは、移動端末装置Ｔ１が周期的に図１９に示す条件テーブル２１を作成して無線通信条件を設定する方法を示す。ステップＳ１００〜Ｓ１０２では、図２０に示すステップＳ９１〜Ｓ９３と同様にして、他の移動端末装置Ｔ２〜Ｔ７から条件データが取得され、取得された条件データによってそれぞれ示される無線通信条件が条件テーブル２１に格納される。
【００８９】
ステップＳ１０３において条件設定部１５は、使用する周波数帯の設定を変更する時期か否かを判定する。使用する周波数帯の設定を変更する時期でない場合には、処理はステップＳ１００に戻る。移動端末装置Ｔ１は、ステップＳ１００〜ステップＳ１０３の処理を所定の周期で繰り返し実行する。ステップＳ１０３の判定において、使用するＲＡＴの設定を変更する時期であると判定された場合には、処理はステップＳ１０４に進む。ステップＳ１０４では、図１２に示す周波数帯設定処理Ｓ３６と同様の処理によって、ＲＡＴ及び周波数が設定される。
【００９０】
以下に説明する実施例では、図２に示す条件取得部１２は、他の移動端末装置Ｔ２〜Ｔ７から、条件データに加えて、この条件データとして取得した各無線通信条件にそれぞれ対応する所定の参照情報を取得する。参照情報は、例えば条件データとして取得したＲＡＴ及び周波数帯にてサービスを提供する通信事業者の識別子であってよい。条件取得部１２は、取得した通信事業者の識別子を参照情報データ２４に格納する。条件取得部１２は、特許請求の範囲に記載された参照情報取得手段に対応する。
【００９１】
条件取得部１２は、端末間通信部１１により実現される通信回線を介して、他の移動端末装置Ｔ２〜Ｔ７に対して、参照情報の送信を要求する参照情報要求信号を送信する。また条件取得部１２は、参照情報要求信号に応答して他の移動端末装置Ｔ２〜Ｔ７が送信した参照情報を端末間通信部１１により実現される通信回線を介して受信し取得する。他の移動端末装置Ｔ２〜Ｔ７は、条件データと同時に又は条件データの一部として参照情報を送信してもよい。他の移動端末装置Ｔ２〜Ｔ７は、上述の条件データ要求信号を受信したとき、参照情報を送信してもよい。
【００９２】
要求信号処理部１７は、端末間通信部１１により実現される通信回線を介して、他の移動端末装置から送信された参照情報要求信号を受信する。条件データ要求信号を受信したとき、要求信号処理部１７は参照情報を記憶部１３に記憶された設定値データ２２や無線通信部１０から取得する。移動端末装置Ｔ１は、参照情報として使用可能な情報である、各無線通信条件でサービスを提供する通信事業者の識別子や、移動端末装置Ｔ１のベンダの識別子や、移動端末装置Ｔ１の機種の識別子や、利用可能なサービスの識別子などを、設定値データ２２として記憶部１３に記憶してよい。要求信号処理部１７は、取得した参照情報を、参照情報要求信号を送信した他の移動端末装置に対して送信する。
【００９３】
参照情報データ２４も格納できるように条件テーブル２１のデータ構造を設計してもよい。この場合、各レコードには、他の移動端末装置Ｔ２〜Ｔ７から取得した無線通信条件を格納する１つ以上のフィールドと、無線通信条件にそれぞれ対応する参照情報を格納するフィールドが設けられる。図２３は、参照情報データ２４を同時に格納する条件テーブル２１のデータ構造を示す図である。
【００９４】
条件テーブル２１は、図３及び図４に示すテーブルが備えるのと同様のフィールドである「使用ＲＡＴ」フィールド、「使用周波数帯」フィールド及び「度数」フィールドに加えて、参照情報としての通信事業者の識別子を格納する「通信事業者」フィールドを備える。「通信事業者」フィールドには、「使用ＲＡＴ」フィールド及び「使用周波数帯」フィールドの値によって特定された無線通信条件によるサービスを提供する通信事業者の識別子が格納される。
【００９５】
図２４は、条件テーブル２１の第４例を示す図である。図２４の例では、条件テーブル２１は、ＲＡＴがＧＳＭであり使用周波数帯域がｆ１０［ＧＨｚ］である無線通信条件によりサービスを提供する通信事業者が「事業者Ｂ」であり、ＲＡＴがＬＴＥであり使用周波数帯域がｆ９［ＧＨｚ］である無線通信条件よりサービスを提供する通信事業者が「事業者Ａ」であることを示す。
【００９６】
本実施例において優先度決定部１４は、記憶部１３に記憶された優先度基準テーブル２５に規定された優先度決定基準に従って、各無線通信条件にそれぞれ対応付けられた参照情報に応じて、各無線通信条件間の優先度を決定する。優先度基準テーブル２５は、各参照情報とその優先度の対応関係を示すテーブルである。図２５は、優先度基準テーブル２５の例を示す図である。図２５に示す通り、各通信事業者間の優先度は、事業者Ａ、事業者Ｂ及び事業者Ｃの順で高い。
【００９７】
例えば、優先度決定部１４は、以下のように、通信事業者の優先度を優先して、無線通信条件間の優先度を決定してよい。図２６は、無線通信条件の優先度の第２例を示す図である。優先度決定部１４は、優先度がより高い通信事業者Ａによりサービスが提供される無線通信条件の優先度を、優先度がより高い通信事業者Ｂによりサービスが提供される無線通信条件の優先度よりも高くする。優先度決定部１４は、同じ通信事業者により使用される無線通信条件間における優先度を、図２４の条件テーブルに格納されている度数の大小によって決定する。
【００９８】
図２７は、開示の無線通信条件設定方法の第７例を示すフローチャートである。本フローチャートでは、移動端末装置Ｔ１の電源がＯＮにされたときに図２４に示す条件テーブル２１を作成して無線通信条件を設定する方法を示す。ステップＳ１１０において移動端末装置Ｔ１の電源がＯＮにされると、ステップＳ１１１において条件取得部１２は、端末間通信部１１により実現される通信回線を介して、条件データ要求信号と参照情報要求信号を送信する。
【００９９】
図２８は、条件データ要求信号を受信した移動端末装置Ｔ２の動作フローチャートの第２例である。条件データ要求信号を受信した他の移動端末装置Ｔ３〜Ｔ７も同様の処理を行う。ステップＳ１２０において移動端末装置Ｔ２が移動端末装置Ｔ１から送信された条件データ要求信号及び参照情報要求信号を受信すると、ステップＳ１２１にて要求信号処理部１７は、移動端末装置Ｔ１へ送信すべき条件データ及び参照情報を取得する。ステップＳ１２２において移動端末装置Ｔ２の要求信号処理部１７は、取得した条件データ及び参照情報を、条件データ要求信号及び参照情報要求信号を送信した移動端末装置Ｔ１に対して送信する。要求信号処理部１７による条件データの取得及び送信処理は、図６に示すステップＳ２１及びＳ２２を参照して説明した処理と同様である。
【０１００】
図２７に戻り、ステップＳ１１２において移動端末装置Ｔ１の条件取得部１２は、他の移動端末装置Ｔ２から送信された条件データ及び参照情報を受信する。ステップＳ１１３において条件取得部１２は、受信した条件データ及び参照情報を条件テーブル２１に格納する。条件取得部１２による条件データの格納処理は、図５に示すステップＳ４を参照して説明した処理と同様であってよい。条件取得部１２は、参照情報を条件テーブル２１に格納するとき、この参照情報に対応する無線通信条件が「使用ＲＡＴ」フィールド及び「使用周波数帯」フィールドに格納されているレコードの「通信事業者」フィールドに格納する。
【０１０１】
ステップＳ１１４において優先度決定部１４は、条件テーブル２１に記憶される無線通信条件間の優先度を定める。優先度決定部１４は、無線通信条件同士の優先度を、それぞれの無線通信条件に対応する参照情報と、それぞれの無線通信条件の度数に応じて設定する。例えば優先度決定部１４は、図２６を参照して上述した決定方法によって優先度を決定する。
【０１０２】
ステップＳ１１５において、条件設定部１５の条件試験部１６は、優先度決定部１４によって決定された優先度が最も高い無線通信条件を、無線通信部１０が無線通信を行う際に使用する条件として設定する。ステップＳ１１６において、条件試験部１６は、設定された無線通信条件を使用して無線通信部１０により基地局と通信が可能であるか否かを判定する。
【０１０３】
ステップＳ１１６の判定において、設定された無線通信条件では基地局と通信が可能であるときには処理を終了する。この結果、ステップＳ１１６の判定の際に設定されている無線通信条件が、以後移動端末装置Ｔ１が使用する無線通信条件としてそのまま設定される。条件試験部１６は、現在設定されている無線通信条件を設定値データ２２として記憶部１３に記憶してもよい。
【０１０４】
ステップＳ１１６の判定において、設定された無線通信条件では基地局と通信が可能でない場合には処理がステップＳ１１７に進む。ステップＳ１１７において、条件試験部１６は、条件テーブル２１に記憶されている無線通信条件のうち、未だステップＳ１１６における基地局との通信可否の判定を行っていない条件があるか否かを判定する。
【０１０５】
判定を行っていない無線通信条件が残っているときは、ステップＳ１１８において条件試験部１６は、直前のステップＳ１１６にて判定が行われた無線通信条件の優先度の次の優先度の無線通信条件を、無線通信部１０が無線通信を行う際に使用する条件として設定し、処理をステップＳ１１６に戻す。ステップＳ１１６の判定において、判定を行っていないＲＡＴが残っていないときは、ステップＳ１１９において条件試験部１６は、図５に示すステップＳ１０と同様に無線通信条件を設定する。
【０１０６】
図２９は、開示の無線通信条件設定方法の第８例を示すフローチャートである。本フローチャートでは、移動端末装置Ｔ１が周期的に図２４に示す条件テーブル２１を作成して無線通信条件を設定する方法を示す。ステップＳ１３０〜Ｓ１３２では、図２７に示すステップＳ１１１〜Ｓ１１３と同様にして、他の移動端末装置Ｔ２〜Ｔ７から条件データ及び参照情報が取得され、取得された条件データによってそれぞれ示される無線通信条件や参照情報が条件テーブル２１に格納される。
【０１０７】
ステップＳ１３３において条件設定部１５は、使用するＲＡＴ又は周波数帯の設定を変更する時期か否かを判定する。使用するＲＡＴ又は周波数帯の設定を変更する時期でない場合には、処理はステップＳ１３０に戻る。移動端末装置Ｔ１は、ステップＳ１３０〜ステップＳ１３３の処理を所定の周期で繰り返し実行する。
【０１０８】
ステップＳ１３３の判定において、使用するＲＡＴ又は周波数帯の設定を変更する時期であると判定された場合には、処理はステップＳ１３４に進む。以下のステップＳ１３４〜Ｓ１３９では、図２７に示したステップＳ１１４〜Ｓ１１９と同様の処理により使用するＲＡＴ又は周波数帯を設定する。
【０１０９】
本実施例により、特定の通信事業者によるサービスを他の通信事業者のサービスより優先して利用させやすくすることができるようになる。又は、特定の通信事業者によるサービスを他の通信事業者のサービスよりも利用させにくくすることができる。これによって、例えば移動端末装置のベンダとの関係に応じて各通信事業者のサービスの利用を促進させたり減退させたりすることも可能となる。
【０１１０】
参照情報としてベンダの識別子を使用してもよい。参照情報としてベンダの識別子を使用することにより、近くに特定のベンダの移動端末装置、例えば同じベンダの移動端末装置が存在するときに、その移動端末装置と同じ無線通信条件で通信しやすくなる。このような効果は、例えば同じベンダの複数の移動端末装置間において、これらが同じ無線通信条件で通信を行う場合に限り特定のサービスを利用できる場合に、このサービスを利用しやすくなるといったユーザの利便性を高めることが可能となる。
【０１１１】
参照情報として、移動端末装置の機種の識別子を使用してもよい。参照情報としてベンダの識別子を使用することにより、近くに特定の機種の移動端末装置、例えば同じ機種や同じシリーズの移動端末装置が存在するときに、その移動端末装置と同じ無線通信条件で通信しやすくなる。このような効果は、例えば同じ機種や同じシリーズの複数の移動端末装置間において、これらが同じ無線通信条件で通信を行う場合に限り特定のサービスを利用できる場合に、このサービスを利用しやすくなるといったユーザの利便性を高めることが可能となる。
【０１１２】
参照情報として、移動端末装置が利用可能なサービスの識別子を使用してもよい。参照情報としてサービスの識別子を使用することにより、近くに同じサービスを利用できる移動端末装置が存在するときに、その移動端末装置と同じ無線通信条件で通信しやすくなる。このような効果は、例えばこのサービスが同じ無線通信条件で通信を行う場合に限り利用できる場合に、このサービスを利用しやすくなるといったユーザの利便性を高めることが可能となる。
【０１１３】
以上の実施例を含む実施形態に関し、更に以下の付記を開示する。
【０１１４】
（付記１）
移動端末装置であって、
複数の前記移動端末装置間における通信機能を提供する端末間通信手段と、
前記移動端末装置と基地局との間の無線通信に使用される無線通信条件に関する条件データを、前記端末間通信手段を用いて他の前記移動端末装置から取得する条件取得手段と、
前記条件取得手段により取得された前記条件データが示す無線通信条件を、基地局との無線通信に使用する無線通信条件として設定する条件設定手段と、
を備える移動端末装置。
【０１１５】
（付記２）
前記条件取得手段により取得された前記条件データにより示される無線通信条件間の優先度を定める優先度決定手段を、さらに備え、
前記条件設定手段は、前記優先度決定手段により定められた優先度の順で、各前記無線通信条件による基地局との通信が可能であるか否かを判定する条件試験手段を備え、基地局との通信が可能であると判定された無線通信条件を基地局との無線通信に使用する無線通信条件として設定する付記１に記載の移動端末装置。
【０１１６】
（付記３）
前記無線通信条件は、無線アクセス技術及び周波数帯のいずれか一方又はこれらの組み合わせである付記１又は２に記載の移動端末装置。
【０１１７】
（付記４）
前記条件取得手段により複数の無線通信条件を示す前記条件データが取得されたとき、前記優先度決定手段は、取得された前記条件データにおける各前記無線通信条件の度数に応じて、前記優先度を決定する、付記２又は３に記載の移動端末。
【０１１８】
（付記５）
前記条件データに示される各無線通信条件にそれぞれ対応する所定の参照情報を、前記端末間通信手段を用いて、前記他の移動端末装置から取得する参照情報取得手段と、
各前記参照情報に基づいてこれら参照情報にそれぞれ対応する無線通信条件同士の間の前記優先度を決定する優先度決定手段と、
をさらに備える付記１に記載の移動端末装置。
【０１１９】
（付記６）
前記所定の参照情報は、前記無線通信条件による通信サービスを提供する通信事業者を示す通信事業者情報、前記移動端末装置のベンダを示すベンダ情報及び前記移動端末装置の機種を示す機種情報のいずれか、又はこれらの組み合わせであることを特徴とする付記５に記載の移動端末装置。
【０１２０】
（付記７）
付記１〜６に記載の移動端末装置と前記基地局とを備える通信システム。
【０１２１】
（付記８）
移動端末装置と基地局との間の無線通信に使用される無線通信条件を前記移動端末装置において設定する無線通信条件設定方法であって、
複数の前記移動端末装置間における通信機能を提供する端末間通信手段によって、前記無線通信条件に関する条件データを他の移動端末装置から取得し、
前記条件取得手段により取得された前記条件データが示す無線通信条件を、前記基地局との無線通信に使用する無線通信条件として設定する、無線通信条件設定方法。
【０１２２】
（付記９）
前記他の移動端末装置から取得された前記条件データにより示される無線通信条件間の優先度を決定し、
決定された前記優先度の順で、各前記無線通信条件による前記基地局との通信が可能であるか否かを判定し、
前記基地局との通信が可能であると判定された無線通信条件を前記基地局との無線通信に使用する無線通信条件として設定する付記８に記載の無線通信条件設定方法。
【０１２３】
（付記１０）
前記無線通信条件は、無線アクセス技術及び周波数帯のいずれか一方又はこれらの組み合わせである付記８又は９に記載の無線通信条件設定方法。
【０１２４】
（付記１１）
複数の無線通信条件を示す前記条件データが取得されたとき、取得された前記条件データにおける各前記無線通信条件の度数に応じて、前記優先度を決定する、付記９又は１０に記載の無線通信条件設定方法。
【０１２５】
（付記１２）
前記条件データに示される各無線通信条件にそれぞれ対応する所定の参照情報を、前記端末間通信手段を用いて、前記他の移動端末装置から取得し、
各前記参照情報に基づいてこれら参照情報にそれぞれ対応する無線通信条件同士の間の前記優先度を決定する付記８に記載の無線通信条件設定方法。
【０１２６】
（付記１３）
前記所定の参照情報は、前記無線通信条件による通信サービスを提供する通信事業者を示す通信事業者情報、前記移動端末装置のベンダを示すベンダ情報及び前記移動端末装置の機種を示す機種情報のいずれか、又はこれらの組み合わせであることを特徴とする付記１２に記載の無線通信条件設定方法。
【図面の簡単な説明】
【０１２７】
【図１】開示の通信システムの全体構成図である。
【図２】開示の移動端末装置の概略構成図である。
【図３】条件テーブルのデータ構造の第１例を示す図である。
【図４】条件テーブルの第１例を示す図である。
【図５】開示の無線通信条件設定方法の第１例を示すフローチャートである。
【図６】条件データ要求信号を受信した移動端末装置の動作フローチャートの第１例である。
【図７】無線通信条件の優先度の第１例を示す図である。
【図８】開示の無線通信条件設定方法の第２例を示すフローチャートである。
【図９】図８に示すＲＡＴ設定処理を示すフローチャートである。
【図１０】ＲＡＴの優先度の例を示す図である。
【図１１】ＲＡＴ対周波数帯対応テーブルの例を示す図である。
【図１２】図８に示す周波数帯設定処理を示すフローチャートである。
【図１３】（Ａ）〜（Ｃ）は、それぞれＧＳＭ、ＷＣＤＭＡ及びＬＴＥにおいて使用可能な周波数帯間の優先度を示す図である。
【図１４】図４の条件テーブルにおける度数のそれぞれＲＡＴ別の集計結果を示す図である。
【図１５】各ＲＡＴの度数を優先して図４のテーブルの優先度を決定した結果を示す図である。
【図１６】条件テーブルの第２例を示す図である。
【図１７】開示の無線通信条件設定方法の第３例を示すフローチャートである。
【図１８】開示の無線通信条件設定方法の第４例を示すフローチャートである。
【図１９】条件テーブルの第３例を示す図である。
【図２０】開示の無線通信条件設定方法の第５例を示すフローチャートである。
【図２１】周波数帯の優先度の例を示す図である。
【図２２】開示の無線通信条件設定方法の第６例を示すフローチャートである。
【図２３】条件テーブルのデータ構造の第２例を示す図である。
【図２４】条件テーブルの第４例を示す図である。
【図２５】優先度基準テーブルの例を示す図である。
【図２６】無線通信条件の優先度の第２例を示す図である。
【図２７】開示の無線通信条件設定方法の第７例を示すフローチャートである。
【図２８】条件データ要求信号を受信した移動端末装置の動作フローチャートの第２例である。
【図２９】開示の無線通信条件設定方法の第８例を示すフローチャートである。
【符号の説明】
【０１２８】
１    通信システム
Ｂ１、Ｂ２    基地局
Ｔ１〜Ｔ７    移動端末装置
Ｃ１、Ｃ２    エリア
【図１】
2010114572.tif 000003
【図２】
2010114572.tif 000004
【図３】
2010114572.tif 000005
【図４】
2010114572.tif 000006
【図５】
2010114572.tif 000007
【図６】
2010114572.tif 000008
【図７】
2010114572.tif 000009
【図８】
2010114572.tif 000010
【図９】
2010114572.tif 000011
【図１０】
2010114572.tif 000012
【図１１】
2010114572.tif 000013
【図１２】
2010114572.tif 000014
【図１３】
2010114572.tif 000015
【図１４】
2010114572.tif 000016
【図１５】
2010114572.tif 000017
【図１６】
2010114572.tif 000018
【図１７】
2010114572.tif 000019
【図１８】
2010114572.tif 000020
【図１９】
2010114572.tif 000021
【図２０】
2010114572.tif 000022
【図２１】
2010114572.tif 000023
【図２２】
2010114572.tif 000024
【図２３】
2010114572.tif 000025
【図２４】
2010114572.tif 000026
【図２５】
2010114572.tif 000027
【図２６】
2010114572.tif 000028
【図２７】
2010114572.tif 000029
【図２８】
2010114572.tif 000030
【図２９】
2010114572.tif 000031